【手続補正書】
【提出日】平成18年7月4日(2006.7.4)
【手続補正１】
【補正対象書類名】明細書
【補正対象項目名】特許請求の範囲
【補正方法】変更
【補正の内容】
【特許請求の範囲】
【請求項１】
プリンタにデジタル画像をダイレクトに送信する機能を有するデジタルカメラであって、
前記デジタルカメラから前記プリンタに送信されたデジタル画像の印刷が終了する前に、前記デジタルカメラまたは前記プリンタからケーブルを取り外すことが可能であることを示す情報を表示する表示手段を有することを特徴とするデジタルカメラ。
【請求項２】
さらに、デジタル画像を前記プリンタが受信したことに応じて発行されるコマンドを受信する受信手段を有し、
前記表示手段は、前記受信手段でのコマンド受信に応じて、ケーブルを取り外すことが可能であることを示す情報を表示することを特徴とする請求項１に記載のデジタルカメラ。
【請求項３】
プリンタにデジタル画像をダイレクトに送信する機能を有するデジタルカメラであって、
前記デジタルカメラから前記プリンタに送信されたデジタル画像の印刷が終了する前に、撮影が行えることを示す情報を表示する表示手段を有することを特徴とするデジタルカメラ。
【請求項４】
さらに、デジタル画像を前記プリンタが受信したことに応じて発行されるコマンドを受信する受信手段を有し、
前記表示手段は、前記受信手段でのコマンド受信に応じて、ケーブルを取り外すことができることを示す情報を表示することを特徴とする請求項３に記載のデジタルカメラ。
【請求項５】
プリンタとケーブルでダイレクトに接続可能で、撮像したデジタル画像をダイレクトに送信する機能を有するデジタルカメラであって、
前記ケーブルを接続した状態で、印刷すべきデジタル画像データを送信した後、接続中のプリンタから受信完了の通知を受信したか否かを判断する判断手段と、
該判断手段で受信完了の通知を受信したとき、前記ケーブルの取り外しが可能である情報を表示する表示手段と
を備えることを特徴とするデジタルカメラ。
【請求項６】
プリンタにデジタル画像をダイレクトに送信する機能を有するデジタルカメラであって、
前記デジタルカメラから前記プリンタに送信されたデジタル画像の印刷が終了する前に、前記デジタルカメラを前記プリンタとの通信が可能なエリアの外に持ち出すことができることを示す情報を表示する表示手段を有することを特徴とするデジタルカメラ。
【請求項７】
さらに、デジタル画像を前記プリンタが受信したことに応じて発行されるコマンドを受信する受信手段を有し、
前記表示手段は、前記受信手段でのコマンド受信に応じて、通信が可能なエリアの外に持ち出すことができることを示す情報を表示することを特徴とする請求項６に記載のデジタルカメラ。
【請求項８】
画像記録装置にデジタル画像をダイレクトに送信する機能を有するデジタルカメラであって、
前記デジタルカメラから前記画像記録装置に送信されたデジタル画像の記録媒体への記録が終了する前に、前記デジタルカメラまたは前記画像記録装置からケーブルを取り外すことができることを示す情報を表示する表示手段を有することを特徴とするデジタルカメラ。
【請求項９】
画像記録装置にデジタル画像をダイレクトに送信する機能を有するデジタルカメラであって、
前記デジタルカメラから前記画像記録装置に送信されたデジタル画像の記録媒体への記録が終了する前に、撮影が行えることを示す情報を表示する表示手段を有することを特徴とするデジタルカメラ。
【請求項１０】
画像記録装置にデジタル画像をダイレクトに送信する機能を有するデジタルカメラであって、
前記デジタルカメラから前記画像記録装置に送信されたデジタル画像の記録媒体への記録が終了する前に、前記デジタルカメラを前記プリンタとの通信が可能なエリアの外に持ち出すことができることを示す情報を表示する表示手段を有することを特徴とするデジタルカメラ。
【請求項１１】
画像記録装置にデジタル画像をダイレクトに送信する機能を有する画像供給装置であって、
前記画像供給装置から前記画像記録装置に送信されたデジタル画像の印刷が終了する前に、前記画像供給装置または前記画像記録装置からケーブルを取り外すことができることを示す情報を表示する表示手段を有することを特徴とする画像供給装置。
【請求項１２】
画像記録装置にデジタル画像をダイレクトに送信する機能を有する画像供給装置であって、
前記画像供給装置から前記画像記録装置に送信されたデジタル画像の印刷が終了する前に、前記画像供給装置または前記画像記録装置との通信が可能なエリアの外に持ち出すことができることを示す情報を表示する表示手段を有することを特徴とする画像供給装置。
【請求項１３】
デジタルカメラからダイレクトに送信されたデジタル画像を印刷するプリンタであって、
前記デジタルカメラから送信されたデジタル画像を全て受信したことを前記デジタルカメラに通知する機能を有することを特徴とするプリンタ。
【請求項１４】
デジタルカメラとケーブルを介してダイレクトに接続可能で、前記デジタルカメラから受信した画像を印刷するプリンタであって、
前記プリンタより印刷すべき画像の送信を検出したとき、印刷処理を開始する印刷制御手段と、
該印刷制御手段で印刷中に、印刷すべき画像の受信が完了したとき、前記ケーブルの取り外しを許容することを示すための情報を前記デジタルカメラに送信する送信手段と
を備えることを特徴とするプリンタ。
【請求項１５】
更に、印刷すべき画像を受信中は通信エラーハンドリングをイネーブルにし、尚且つ、前記送信手段で前記情報を前記デジタルカメラに送信した後の、印刷状態を示すステータスの情報を送信の通信処理ではケーブル取り外しによる通信エラーのハンドリングをディスイネーブルにする通信エラーハンドリング制御手段を備えることを特徴とする請求項１４に記載のするプリンタ。
【請求項１６】
プリンタにデジタル画像をダイレクトに送信する機能を有するデジタルカメラであって、
前記プリンタによりデジタル画像を印刷する際に、前記デジタルカメラまたは前記プリンタからのケーブルの取り外しの可否に関する情報を表示する表示手段と、
デジタル画像を前記プリンタが受信したことに応じて発行されるコマンドを受信する受信手段とを有し、
前記受信手段でのコマンドの受信の前後で、前記表示手段の表示を変更することを特徴とするデジタルカメラ。
【請求項１７】
プリンタにデジタル画像をダイレクトに送信する機能を有するデジタルカメラであって、
前記プリンタによりデジタル画像を印刷する際に、前記デジタルカメラを通信可能エリアの外に持ち出すことの可否に関する情報を表示する表示手段をと、
デジタル画像を前記プリンタが受信したことに応じて発行されるコマンドを受信する受信手段とを有し、
前記受信手段でのコマンドの受信の前後で、前記表示手段の表示を変更することを特徴とするデジタルカメラ。
【請求項１８】
プリンタにデジタル画像をダイレクトに送信する機能を有するデジタルカメラの制御方法であって、
前記デジタルカメラから前記プリンタに送信されたデジタル画像の印刷が終了する前に、前記デジタルカメラまたは前記プリンタからケーブルを取り外すことが可能であることを示す情報を表示する表示工程を有することを特徴とするデジタルカメラの制御方法。
【請求項１９】
さらに、デジタル画像を前記プリンタが受信したことに応じて発行されるコマンドを受信する受信工程を有し、
前記表示工程は、前記受信工程でのコマンド受信に応じて、ケーブルを取り外すことが可能であることを示す情報を表示することを特徴とする請求項１８に記載のデジタルカメラの制御方法。
【請求項２０】
プリンタにデジタル画像をダイレクトに送信する機能を有するデジタルカメラの制御方法であって、
前記デジタルカメラから前記プリンタに送信されたデジタル画像の印刷が終了する前に、撮影が行えることを示す情報を表示する表示工程を有することを特徴とするデジタルカメラの制御方法。
【請求項２１】
さらに、デジタル画像を前記プリンタが受信したことに応じて発行されるコマンドを受信する受信工程を有し、
前記表示工程は、前記受信工程でのコマンド受信に応じて、ケーブルを取り外すことができることを示す情報を表示することを特徴とする請求項２０に記載のデジタルカメラの制御方法。
【請求項２２】
プリンタとケーブルでダイレクトに接続可能で、撮像したデジタル画像をダイレクトに送信する機能を有するデジタルカメラの制御方法であって、
前記ケーブルを接続した状態で、印刷すべきデジタル画像データを送信した後、接続中のプリンタから受信完了の通知を受信したか否かを判断する判断工程と、
該判断工程で受信完了の通知を受信したとき、前記ケーブルの取り外しが可能である情報を表示する表示工程と
を備えることを特徴とするデジタルカメラの制御方法。
【請求項２３】
プリンタにデジタル画像をダイレクトに送信する機能を有するデジタルカメラの制御方法であって、
前記デジタルカメラから前記プリンタに送信されたデジタル画像の印刷が終了する前に、前記デジタルカメラを前記プリンタとの通信が可能なエリアの外に持ち出すことができることを示す情報を表示する表示工程を有することを特徴とするデジタルカメラの制御方法。
【請求項２４】
さらに、デジタル画像を前記プリンタが受信したことに応じて発行されるコマンドを受信する受信工程を有し、
前記表示工程は、前記受信工程でのコマンド受信に応じて、通信が可能なエリアの外に持ち出すことができることを示す情報を表示することを特徴とする請求項２３に記載のデジタルカメラの制御方法。
【請求項２５】
画像記録装置にデジタル画像をダイレクトに送信する機能を有するデジタルカメラの制御方法であって、
前記デジタルカメラから前記画像記録装置に送信されたデジタル画像の記録媒体への記録が終了する前に、前記デジタルカメラまたは前記画像記録装置からケーブルを取り外すことができることを示す情報を表示する表示工程を有することを特徴とするデジタルカメラの制御方法。
【請求項２６】
画像記録装置にデジタル画像をダイレクトに送信する機能を有するデジタルカメラの制御方法であって、
前記デジタルカメラから前記画像記録装置に送信されたデジタル画像の記録媒体への記録が終了する前に、撮影が行えることを示す情報を表示する表示工程を有することを特徴とするデジタルカメラの制御方法。
【請求項２７】
画像記録装置にデジタル画像をダイレクトに送信する機能を有するデジタルカメラの制御方法であって、
前記デジタルカメラから前記画像記録装置に送信されたデジタル画像の記録媒体への記録が終了する前に、前記デジタルカメラを前記プリンタとの通信が可能なエリアの外に持ち出すことができることを示す情報を表示する表示工程を有することを特徴とするデジタルカメラの制御方法。
【請求項２８】
画像記録装置にデジタル画像をダイレクトに送信する機能を有する画像供給装置の制御方法であって、
前記画像供給装置から前記画像記録装置に送信されたデジタル画像の印刷が終了する前に、前記画像供給装置または前記画像記録装置からケーブルを取り外すことができることを示す情報を表示する表示工程を有することを特徴とする画像供給装置の制御方法。
【請求項２９】
画像記録装置にデジタル画像をダイレクトに送信する機能を有する画像供給装置の制御方法であって、
前記画像供給装置から前記画像記録装置に送信されたデジタル画像の印刷が終了する前に、前記画像供給装置または前記画像記録装置との通信が可能なエリアの外に持ち出すことができることを示す情報を表示する表示工程有することを特徴とする画像供給装置の制御方法。
【請求項３０】
デジタルカメラからダイレクトに送信されたデジタル画像を印刷するプリンタの制御方法であって、
前記デジタルカメラから送信されたデジタル画像を全て受信したことを前記デジタルカメラに通知する機能を有することを特徴とするプリンタの制御方法。
【請求項３１】
デジタルカメラとケーブルを介してダイレクトに接続可能で、前記デジタルカメラから受信した画像を印刷するプリンタの制御方法であって、
前記プリンタより印刷すべき画像の送信を検出したとき、印刷処理を開始する印刷制御工程と、
該印刷制御工程で印刷中に、印刷すべき画像の受信が完了したとき、前記ケーブルの取り外しを許容することを示すための情報を前記デジタルカメラに送信する送信工程と
を備えることを特徴とするプリンタの制御方法。
【請求項３２】
更に、印刷すべき画像を受信中は通信エラーハンドリングをイネーブルにし、尚且つ、前記送信手段で前記情報を前記デジタルカメラに送信した後の、印刷状態を示すステータスの情報を送信の通信処理ではケーブル取り外しによる通信エラーのハンドリングをディスイネーブルにする通信エラーハンドリング制御工程を備えることを特徴とする請求項３１に記載のするプリンタの制御方法。
【請求項３３】
プリンタにデジタル画像をダイレクトに送信する機能を有するデジタルカメラの制御方法であって、
前記プリンタによりデジタル画像を印刷する際に、前記デジタルカメラまたは前記プリンタからのケーブルの取り外しの可否に関する情報を表示する表示工程と、
デジタル画像を前記プリンタが受信したことに応じて発行されるコマンドを受信する受信工程とを有し、
前記受信工程でのコマンドの受信の前後で、前記表示工程による表示を変更することを特徴とするデジタルカメラの制御方法。
【請求項３４】
プリンタにデジタル画像をダイレクトに送信する機能を有するデジタルカメラの制御方法であって、
前記プリンタによりデジタル画像を印刷する際に、前記デジタルカメラを通信可能エリアの外に持ち出すことの可否に関する情報を表示する表示工程と、
デジタル画像を前記プリンタが受信したことに応じて発行されるコマンドを受信する受信工程とを有し、
前記受信工程でのコマンドの受信の前後で、前記表示手段の表示を変更することを特徴とするデジタルカメラの制御方法。